(57)【要約】【課題】空気調和装置で生成されたドレンを確実に排水処理空間へ排出させることが可能な、ドレン排水方法、空気調和装置、空気調和システム、ドレンソケットを提供する。【解決手段】空気調和システム１は、第１熱交換器５１、第１熱交換器５１の下方に配置されドレンを貯留する第１ドレンパン５２、第１ドレンパン５２に貯留されたドレンを排出する第１ドレンポンプ５３を有している第１室内機４と、第２熱交換器９１、第２熱交換器９１の下方に配置されて、ドレンを貯留する第２ドレンパン９２を有している第２室内機９と、第２室内機９から排出されるドレンを第１室内機４の第１ドレンパン５２に導く第１配管７１と、第１ドレンパン５２に貯留されたドレンを排水処理空間に導く第２配管７２とを備えている。【選択図】図５
2010032094.tif 000002
【特許請求の範囲】
【請求項１】
第１室内機（４）および第２室内機（９）の少なくとも２つの室内機を含む空気調和システム１のドレン排水方法であって、
前記第２室内機において発生するドレンを第１配管（７１）を介して前記第１室内機に導き、前記第１室内機から第２配管（７２）を介して排水処理空間に前記ドレンを排水する、ドレン排水方法。
【請求項２】
熱交換部（５１）と、前記熱交換部で発生したドレンを排出するためのドレンポンプ（５３）とがケーシング（４０）に収納されている空気調和装置の室内機（４）であって、
前記ケーシングに設けられ、他の空気調和装置の室内機（９）において発生したドレンを前記ケーシング内部に導き入れるための受入部（６０）を備えている、
空気調和装置の室内機（４）。
【請求項３】
前記受入部は、前記他の空気調和装置の室内機において発生したドレンが排出されてくる配管（７１）に接続するためのドレンソケット（５６，２００，２１０，２２０）を取り付け可能に形成されている、
請求項２に記載の空気調和装置の室内機。
【請求項４】
前記受入部は、前記ドレンを前記ケーシング外部に排出するために前記ケーシングに設けられている排出部（５５）よりも鉛直方向下方に配置されている、
請求項２または３に記載の空気調和装置の室内機。
【請求項５】
前記ケーシングより吹き出す空調空気を加湿する加湿器（１００）をさらに備えており、
前記受入部は、前記加湿器において発生するドレンを前記ケーシング内に導くことも可能である、
請求項２から４のいずれか１項に記載の空気調和装置の室内機。
【請求項６】
第１熱交換部（５１）と、前記第１熱交換部の下方に配置されドレンを貯留する第１ドレンパン（５２）と、前記第１ドレンパンに貯留された前記ドレンを排出する第１ドレンポンプ（５３）とを有している第１室内機（４）と、
第２熱交換部（９１）と、前記第２熱交換部の下方に配置されドレンを貯留する第２ドレンパン（９２）とを有している第２室内機（９）と、
前記第２室内機から排出される前記ドレンを前記第１室内機の前記第１ドレンパンに導く第１配管（７１）と、
前記第１ドレンパンに貯留された前記ドレンを排水処理空間に導く第２配管（７２）と、
を備えている、空気調和システム（１）。
【請求項７】
前記第１室内機は、前記第１ドレンパンにおける水位異常を検知する検知部（５４）をさらに有している、
請求項６に記載の空気調和システム。
【請求項８】
前記第２室内機の運転状況、あるいは、前記検知部の検知結果に基づいて前記第１ドレンポンプを制御する第１制御部（８１）をさらに備えている、
請求項６または７に記載の空気調和システム。
【請求項９】
前記第１制御部は、前記検知部が水位異常を検知した時、前記第１ドレンポンプを運転させる、
請求項８に記載の空気調和システム。
【請求項１０】
前記第１制御部は、前記第２室内機が冷房運転を行っている間、前記第１ドレンポンプの運転を行わせる、
請求項８に記載の空気調和システム。
【請求項１１】
前記第１制御部の制御内容を設定可能である第１設定部（８３）をさらに備えており、
前記制御内容は、前記第２室内機が冷房運転を行っている間、前記第１ドレンポンプの運転を行わせるかどうかである、
請求項１０に記載の空気調和システム。
【請求項１２】
前記検知部の検知結果に基づいて前記第２室内機を制御する第２制御部（８２）をさらに備えている、
請求項７に記載の空気調和システム。
【請求項１３】
前記第２制御部は、前記検知部が水位異常を検知した時、前記第２室内機の冷房運転を停止、あるいは、前記第２室内機に前記第２ドレンパンに貯留された前記ドレンを排出する第２ドレンポンプが設置されていた場合には、第２ドレンポンプを停止させる、
請求項１２に記載の空気調和システム。
【請求項１４】
前記第２制御部の制御内容を設定可能である第２設定部（８３）をさらに備えており、
前記制御内容は、前記検知部が水位異常を検知した時、前記第２室内機の冷房運転を停止させるかどうか、あるいは、前記第２室内機に前記第２ドレンパンに貯留された前記ドレンを排出する第２ドレンポンプが設置されていた場合には、前記第２ドレンポンプを停止させるかどうかである、
請求項１３に記載の空気調和システム。
【請求項１５】
前記第１配管は、前記第１配管における流量を調整する電磁弁（７３）を有しており、
前記第１制御部は、前記検知部が水位異常を検知した時、前記電磁弁を弁閉する、
請求項６から１４のいずれか１項記載の空気調和システム。
【請求項１６】
前記第１室内機と前記第２室内機とは、同一冷媒系統内（１０）に配置されている、
請求項６から１５のいずれか１項に記載の空気調和システム。
【請求項１７】
前記第１配管は、前記第１配管内の圧力を下げるための圧力逃がし部（２０４）を有している、
請求項６から１６のいずれか１項に記載の空気調和システム。
【請求項１８】
前記圧力逃がし部の開口端部（２０４ａ）は、鉛直方向下方向を向いている、
請求項１７に記載の空気調和システム。
【請求項１９】
前記圧力逃がし部の開口端部は、ネット（２０５）で覆われている、
請求項１７または１８に記載の空気調和システム。
【請求項２０】
前記第１配管は、前記第１配管の一部を屈曲させて前記ドレンを溜めるためのトラップ部（２１４）を有している、
請求項６から１６のいずれか１項に記載の空気調和システム。
【請求項２１】
前記第１配管は、流体が前記第１室内機側に逆流することを防止する逆止弁（２２４）を有している、
請求項６から１６のいずれか１項に記載の空気調和システム。
【請求項２２】
第１室内機（４）および第２室内機（９）の少なくとも２つの室内機を含む空気調和システム（１）の前記室内機に取り付けられるドレンソケット（５６，２００，２１０，２２０）であって、
前記第２室内機において発生するドレンを排出する前記第２室内機から伸びる配管（７１）の先端と接続し、前記第１室内機におけるケーシング（４０）内部に前記ドレンを導き入れるための管路部（２０１，２１１，２２１）と
前記第１室内機における前記ケーシングに取り付けるための取付部（２０２，２１２，２２２）と、
を備えている、ドレンソケット。
【請求項２３】
前記管路部は、前記管路部における下流側先端に、前記第１室内機において前記ドレンを貯留するドレンパン（５２）と接触する誘導部（２０３，２１３，２２３）を有している、
請求項２２に記載のドレンソケット。
【請求項２４】
前記管路部は、前記配管内の圧力を下げるための圧力逃がし部（２０４）を有している、
請求項２２または２３に記載のドレンソケット。
【請求項２５】
前記圧力逃がし部の開口端部（２０４ａ）は、鉛直方向下方向を向いている、
請求項２４に記載のドレンソケット。
【請求項２６】
前記圧力逃がし部の開口端部は、ネット（２０５）で覆われている、
請求項２４または２５に記載のドレンソケット。
【請求項２７】
前記管路部は、前記管路部の一部を屈曲させて前記ドレンを溜めるためのトラップ部（２１４）を有している、
請求項２２または２３に記載のドレンソケット。
【請求項２８】
前記管路部は、前記トラップ部に隣接する位置に抗菌剤（２１６）を格納する格納部（２１５）を有しており、
前記格納部は、前記トラップ部に溜められる前記ドレンと前記抗菌剤とが接触するように形成されている、
請求項２７に記載のドレンソケット。
【請求項２９】
前記管路部は、流体が前記他の空気調和装置の室内機側に逆流することを防止するための逆止弁（２２４）を有している、
請求項２２または２３に記載のドレンソケット。
【請求項３０】
前記管路部は、前記管路部の長手方向に伸縮および屈曲の少なくとも一方が可能なフレキシブル部（２０６）を有している、
請求項２２から２９に記載のドレンソケット。
【発明の詳細な説明】
【技術分野】
【０００１】
本発明は、建物の天井裏等に配置される空気調和装置で発生するドレン排水方法、空気調和装置、空気調和システム、ドレンソケットに関する。
【背景技術】
【０００２】
空気調和装置では、空気調和装置の冷房運転に伴って空気が熱交換器で冷却され、結露水が発生する。このため、室内の天井面等に配置される天井カセット型空気調和装置では、この結露水を天井裏から確実に排水処理空間に排出する必要がある。
【０００３】
そこで、従来より、熱交換器の下方にドレンパンを配置し、発生する結露水を集水していた。そして、ドレンパンにより集水された結露水（以下、ドレンと示す）は、ポンプ等で吸い上げられ、このポンプに接続されたドレン配管を通じて排水処理空間へと排出されている。
【特許文献１】特開平９−２９６９３８号公報
【発明の開示】
【発明が解決しようとする課題】
【０００４】
上述のようにドレン配管を用いた場合、集水されたドレンを天井裏に沿って排水処理空間まで誘導するには、例えば、１／１００以上の下り勾配をドレン配管に設ける必要がある。しかしながら、狭い天井裏空間の中で常に勾配を確保することは困難である。しかも、天井裏空間には建築コンクリート梁が突出したりする等、ドレン配管に対する制約は多い。このため、ドレン配管の勾配を十分似確保することができず、ドレン配管内において、ドレンの詰まりや汚れの付着が発生することがあった。
【０００５】
本発明は、上記従来の課題を解決するもので、空気調和装置で生成されたドレンを確実に排水処理空間へ排出させることが可能な、ドレン排水方法、空気調和装置、空気調和システム、ドレンソケットを提供することを目的とする。
【課題を解決するための手段】
【０００６】
第１の発明に係るドレン排水方法は、第１室内機および第２室内機の少なくとも２つの室内機を含む空気調和システムのドレン排水方法であって、第２室内機において発生するドレンを第１配管を介して第１室内機に導き、第１室内機から第２配管を介して排水処理空間にドレンを排水する。
【０００７】
ここでは、第２室内機において発生するドレンを第１室内機に導き、第１室内機において発生するドレンと、前述の第１室内機に導いたドレンとをまとめて排水処理空間に排出している。
【０００８】
なお、ドレンの排出方向において上流側に配置される第２室内機および下流側に配置される第１室内機は、複数備えられていてもよい。
【０００９】
従来、室内機から配管を用いてドレンを排出する場合、例えば、１／１００以上の下り勾配を設ける必要があり、コンクリート梁等がある天井裏空間において良好に配管を施工することは難しい。このため、室内機において発生するドレンを所定の排水処理空間に導くことができない場合があった。
【００１０】
そこで、本発明のドレン排水方法は、第１室内機および第２室内機の少なくとも２つの室内機を含む空気調和システムにおいて、第２室内機において発生するドレンを第１配管を介して第１室内機に導き、第１室内機から第２配管を介して排水処理空間にドレンを排水している。
【００１１】
これにより、第２室内機において発生するドレンを排出する第１配管の距離を、第２室内機から排水処理空間に直接導くよりも短くすることが可能となる。すなわち、第１配管の距離が短くなれば、所定の排水勾配を確保するための施工に対する自由度を高めることが可能となる。
【００１２】
この結果、空気調和装置の室内機で生成されたドレンを確実に外部へ排出させることが可能となる。
【００１３】
第２の発明に係る空気調和装置の室内機は、熱交換部と、熱交換部で発生したドレンを排出するためのドレンポンプとがケーシングに収納されている空気調和装置の室内機であって、ケーシングに設けられ、他の空気調和装置の室内機において発生したドレンをケーシング内部に導き入れるための受入部を備えている。
【００１４】
ここでは、他の空気調和装置の室内機において発生したドレンをケーシング内部に導き入れるための受入部が、ケーシングに設けられている。
【００１５】
従来、室内機から配管を用いてドレンを排出する場合、例えば、１／１００以上の下り勾配を設ける必要があり、コンクリート梁等がある天井裏空間において良好に配管を施工することは難しい。このため、室内機において発生するドレンを所定の排水処理空間に導くことができない場合があった。
【００１６】
そこで、本発明の空気調和装置の室内機は、他の空気調和装置の室内機において発生したドレンをケーシング内部に導き入れるための受入部をケーシングに設け、他の空気調和装置において発生するドレンを本発明の空気調和装置の室内機に導き入れることを可能としている。
【００１７】
これにより、他の空気調和装置の室内機から排水処理空間まで配管を敷設する場合に比べて、本発明の空気調和装置における室内機に導くことで配管の敷設距離を短くすることができるので、所定の排水勾配を確保するための施工に対する自由度を高めることが可能となる。
【００１８】
これにより、他の空気調和装置の室内機で発生するドレンを本発明の空気調和装置における室内機に導くことで、他の空気調和装置の室内機から排水処理空間まで配管を敷設する場合に比べて、配管の敷設距離を短くすることができる。すなわち、配管の距離が短くなれば、所定の排水勾配を確保するための施工に対する自由度を高めることが可能となる。
【００１９】
この結果、空気調和装置の室内機で生成されたドレンを確実に外部へ排出させることが可能となる。
【００２０】
第３の発明に係る空気調和装置の室内機は、第２の発明に係る空気調和装置の室内機であって、受入部は、他の空気調和装置の室内機において発生したドレンが排出されてくる配管に接続するためのドレンソケットを取り付け可能に形成されている。
【００２１】
これにより、ドレンソケットを介して、他の室内機からドレンが排出されてくる配管に接続することが可能となる。
【００２２】
第４の発明に係る空気調和装置の室内機は、第２または第３の発明に係る空気調和装置の室内機であって、受入部は、ドレンをケーシング外部に排出するためにケーシングに設けられている排出部よりも鉛直方向下方に配置されている。
【００２３】
第５の発明に係る空気調和装置の室内機は、第２から第４の発明のいずれか１つに係る空気調和装置の室内機であって、ケーシングより吹き出す空調空気を加湿する加湿器をさらに備えており、受入部は、加湿器において発生するドレンをケーシング内に導くことも可能である。
【００２４】
ここでは、加湿器において発生するドレンおよび上述の他の空気調和装置の室内機において発生するドレンの両方を受入部から導き入れている。
【００２５】
これにより、加湿器を備えた空気調和装置の室内機であっても、別途加湿器用の受入部を設けることなく、加湿器において発生するドレンを処理することが可能となる。
【００２６】
第６の発明に係る空気調和システムは、第１室内機と、第２室内機と、第１配管と、第２配管とを備えている。第１室内機は、第１熱交換部と、第１熱交換部の下方に配置されドレンを貯留する第１ドレンパンと、第１ドレンパンに貯留されたドレンを排出する第１ドレンポンプとを有している。第２室内機は、第２熱交換部と、第２熱交換部の下方に配置されドレンを貯留する第２ドレンパンとを有している。第１配管は、第２室内機から排出されるドレンを第１室内機の第１ドレンパンに導く。第２配管は、第１ドレンパンに貯留されたドレンを排水処理空間に導く。
【００２７】
ここでは、第２室内機において発生するドレンを第１室内機に導き、第１室内機において発生するドレンと、前述の第１室内機に導いたドレンとをまとめて排水処理空間に排出している。
【００２８】
なお、ドレンの排出方向において上流側に配置される第２室内機および下流側に配置される第１室内機は、複数備えられていてもよい。
【００２９】
従来、室内機から配管を用いてドレンを排出する場合、例えば、１／１００以上の下り勾配を設ける必要があり、コンクリート梁等がある天井裏空間において良好に配管を施工することは難しい。このため、室内機において発生するドレンを所定の排水処理空間に導くことができない場合があった。
【００３０】
そこで、本発明の空気調和システムは、第２ドレンパンに貯留されたドレンを、第１配管を介して第１室内機の第１ドレンパンに導いている。そして、第１室内機に導かれたドレンおよび第１熱交換部において発生するドレンが貯留された第１ドレンパンから第１ドレンポンプによってドレンを吸い上げて、第２配管を介して排水処理空間にドレンを導いている。
【００３１】
これにより、第２室内機において発生するドレンを排出する第１配管の距離を、第２室内機から排水処理空間に直接導くよりも短くすることが可能となる。すなわち、第１配管の距離が短くなれば、所定の排水勾配を確保するための施工に対する自由度を高めることが可能となる。
【００３２】
この結果、空気調和装置の室内機で生成されたドレンを確実に外部へ排出させることが可能となる。
【００３３】
第７の発明に係る空気調和システムは、第６の発明に係る空気調和システムであって、第１室内機は、第１ドレンパンにおける水位異常を検知する検知部をさらに有している。
【００３４】
ここでは、例えば、フロートスイッチ等を配置して第１ドレンパンにおける水位異常を検知している。これにより、第１ドレンパンに貯留されるドレンが溢れ出る前に、例えば、第２室内機の運転を制御したり、第１室内機における第１ドレンポンプを運転させたりする等の対応を図ることが可能となる。
【００３５】
第８の発明に係る空気調和システムは、第６または第７の発明に係る空気調和システムであって、前記第２室内機の運転状況、あるいは、検知部の検知結果に基づいて第１ドレンポンプを制御する第１制御部をさらに備えている。
【００３６】
ここで、第１室内機が運転をしていない場合には、第１ドレンポンプも作動しない場合がある。このため、第２室内機からドレンが排出される場合に第１室内機が停止していれば、第１ドレンパンからドレンが溢れ出る場合がある。そこで、本発明においては、第２室内機の運転状況、あるいは、検知部の検知結果に基づいて第１ドレンポンプを制御する第１制御部を備えている。これにより、第２室内機の運転状況（例えば、運転の有無、冷房・暖房等の運転種類、運転の強弱）、あるいは、検知部の検知結果に基づいて、第１ドレンポンプの運転状況（運転の有無、運転の強弱等）を制御することが可能となる。
【００３７】
第９の発明に係る空気調和システムは、第８の発明に係る空気調和システムであって、第１制御部は、検知部が水位異常を検知した時、第１ドレンポンプを運転させる。
【００３８】
これにより、第１ドレンパンからドレンが溢れる前に、ドレンを排出することが可能となる。
【００３９】
第１０の発明に係る空気調和システムは、第８の発明に係る空気調和システムであって、第１制御部は、第２室内機が冷房運転を行っている間、第１ドレンポンプの運転を行わせる。
【００４０】
これにより、第１ドレンパンから第２室内機より排出されてきたドレンが溢れ出ることを確実に防止することが可能となる。
【００４１】
第１１の発明に係る空気調和システムは、第１０の発明に係る空気調和システムであって、第１制御部の制御内容を設定可能である第１設定部をさらに備えており、その制御内容は、第２室内機が冷房運転を行っている間、第１ドレンポンプの運転を行わせるかどうかである。
【００４２】
これにより、状況に応じて、第１ドレンポンプに対する上記制御内容を設定することが可能となる。
第１２の発明に係る空気調和システムは、第７の発明に係る空気調和システムであって、検知部の検知結果に基づいて第２室内機を制御する第２制御部をさらに備えている。
【００４３】
これにより、第１ドレンパンに貯留されるドレンが溢れ出る前に、例えば、第２室内機の運転を停止したりする等の対応を図ることが可能となる。
【００４４】
第１３の発明に係る空気調和システムは、第１２の発明に係る空気調和システムであって、第２制御部は、検知部が水位異常を検知した時、第２室内機の冷房運転を停止、あるいは、第２室内機に第２ドレンパンに貯留されたドレンを排出する第２ドレンポンプが設置されていた場合には、第２ドレンポンプを停止させる。
【００４５】
これにより、第２室内機から第１ドレンパンに流れ込むドレンを止めることができ、
第１ドレンパンからドレンが溢れ出ることを確実に防止することが可能となる。
【００４６】
第１４の発明に係る空気調和システムは、第１３の発明に係る空気調和システムであって、第２制御部の制御内容を設定可能である第２設定部をさらに備えており、その制御内容は、検知部が水位異常を検知した時、第２室内機の冷房運転を停止させるかどうか、あるいは、第２室内機に第２ドレンパンに貯留されたドレンを排出する第２ドレンポンプが設置されていた場合には、第２ドレンポンプを停止させるかどうかである。
【００４７】
これにより、状況に応じて、第２室内機あるいは第２ドレンポンプに対する上記制御内容を設定することが可能となる。
【００４８】
第１５の発明に係る空気調和システムは、第６から第１４の発明のいずれか１つに係る空気調和システムであって、第１配管は、第１配管における流量を調整する電磁弁を有しており、第１制御部は、検知部が水位異常を検知した時、電磁弁を弁閉する。
【００４９】
これにより、第１ドレンパンから第２室内機より排出されてくるドレンが溢れ出ることを確実に防止することが可能となる。
【００５０】
第１６の発明に係る空気調和システムは、第６から第１５の発明のいずれか１つに係る空気調和システムであって、第１室内機と第２室内機とは、同一冷媒系統内に配置されている。
【００５１】
これにより、第１室内機と第２室内機とを連動させる制御を容易に実現することが可能となる。
【００５２】
第１７の発明に係る空気調和システムは、第６から第１６の発明のいずれか１つに係る空気調和システムであって、第１配管は、第１配管内の圧力を下げるための圧力逃がし部を有している。
【００５３】
ここで、第１室内機側が第２室内機側に比べて正圧側となると、空気等が第１配管を逆流し、第２室内機において空気の漏れ音等が発生する。そこで、本発明の空気調和システムにおいては、第１配管に圧力逃がし部を設けて、ここで、逆流する空気を逃がしている。これにより、第１室内機側と第２室内機側とを第１配管によって連通させることによって発生する第２室内機側における空気の漏れ音等を防止することが可能となる。
【００５４】
第１８の発明に係る空気調和システムは、第１７の発明に係る空気調和システムであって、圧力逃がし部の開口端部は、鉛直方向下方向を向いている。
【００５５】
これにより、圧力逃がし部の開口端部から異物が入ることを防止することが可能となる。
【００５６】
第１９の発明に係る空気調和システムは、第１７または第１８の発明に係る空気調和システムであって、前記圧力逃がし部の開口端部は、ネットで覆われている。
【００５７】
これにより、圧力逃がし部の開口端部から異物が入ることをさらに確実に防止することが可能となる。
【００５８】
第２０の発明に係る空気調和システムは、第６から第１６の発明のいずれか１つに係る空気調和システムであって、第１配管は、第１配管の一部を屈曲させてドレンを溜めるためのトラップ部を有している。
【００５９】
ここで、第１室内機側が第２室内機側に比べて正圧側となると、空気等が第１配管を逆流し、第２室内機において空気の漏れ音等が発生する。そこで、本発明の空気調和システムにおいては、第１配管にドレンを溜めるトラップ部を設けて、空気の逆流を遮断している。これにより、第１室内機側と第２室内機側とを第１配管によって連通させることによって発生する第２室内機側における空気の漏れ音等を防止することが可能となる。
【００６０】
第２１の発明に係る空気調和システムは、第６から第１６の発明のいずれか１つに係る空気調和システムであって、第１配管は、流体が前記第１室内機側に逆流することを防止する逆止弁を有している。
【００６１】
ここで、第１室内機側が第２室内機側に比べて正圧側となると、空気等が第１配管を逆流し、第２室内機において空気の漏れ音等が発生する。そこで、本発明の空気調和システムにおいては、流体が逆流することを防止する逆止弁を第１配管に設けて、空気が逆流することを防止している。これにより、第１室内機側と第２室内機側とを第１配管によって連通させることによって発生する第２室内機側における空気の漏れ音等を防止することが可能となる。
【００６２】
第２２の発明に係るドレンソケットは、第１室内機および第２室内機の少なくとも２つの室内機を含む空気調和システムの室内機に取り付けられるドレンソケットであって、管路部と、取付部とを備えている。管路部は、第２室内機において発生するドレンを排出する第２室内機から伸びる配管の先端と接続し、第１室内機におけるケーシング内部にドレンを導き入れる。取付部は、第１室内機におけるケーシングに取り付ける。
【００６３】
ここでは、室内機のケーシングに取り付けられるドレンソケットが、第２室内機において発生するドレンを排出する配管と接続し、第１室内機におけるケーシング内部にドレンを導き入れるための管路部と、第１室内機におけるケーシングに取り付けるための取付部とを備えている。
【００６４】
従来、室内機から配管を用いてドレンを排出する場合、例えば、１／１００以上の下り勾配を設ける必要があり、コンクリート梁等がある天井裏空間において良好に配管を施工することは難しい。このため、室内機において発生するドレンを所定の排水処理空間に導くことができない場合があった。
【００６５】
そこで、本発明のドレンソケットは、第２室内機で発生するドレンを排出する第１配管と接続してドレンを第１室内機の内部に導く管路部と、第１室内機におけるケーシングに取り付けるための取付部とを設け、第２室内機において発生するドレンを第１室内機に導き入れることを可能としている。
【００６６】
これにより、第２室内機において発生するドレンを排出する配管の距離を、第２室内機から排水処理空間に直接導くよりも短くすることが可能となる。すなわち、第１配管の距離が短くなれば、所定の排水勾配を確保するための施工に対する自由度を高めることが可能となる。
【００６７】
この結果、空気調和装置の室内機で生成されたドレンを確実に外部へ排出させることが可能となる。
【００６８】
第２３の発明に係るドレンソケットは、第２２の発明に係るドレンソケットであって、管路部は、管路部における下流側先端に、第１室内機においてドレンを貯留するドレンパンと接触する誘導部を有している。
【００６９】
ここで、管路部の下流側先端とドレンパンの底部との間に鉛直方向における距離がある場合、ドレンパンにドレンが落下する時の音が大きくなる。そこで、本発明のドレンソケットでは、管路部の下流側先端に、ドレンパンの底部と接触させる、例えば、ゴム板、鎖、ひも等の誘導部を配置している。これにより、管路部から排出されるドレンは、誘導部を伝ってドレンパンに流れ込むようになるので、落下により発生する音を防止することが可能となる。
【００７０】
第２４の発明に係るドレンソケットは、第２２または第２３の発明に係るドレンソケットであって、管路部は、配管内の圧力を下げるための圧力逃がし部を有している。
【００７１】
ここで、第１室内機側が第２室内機側に比べて正圧側となると、空気等が配管を逆流し、第２室内機において空気の漏れ音等が発生する。そこで、本発明のドレンソケットでは、管路部に圧力逃がし部を設けて、ここで、逆流する空気を逃がしている。これにより、第１室内機側と第２室内機側とを配管で連通させることによって発生する第２室内機側における空気の漏れ音等を防止することが可能となる。
【００７２】
第２５の発明に係るドレンソケットは、第２４の発明に係るドレンソケットであって、圧力逃がし部の開口端部は、鉛直方向下方向を向いている。
【００７３】
これにより、圧力逃がし部の開口端部から異物が入ることを防止することが可能となる。
【００７４】
第２６の発明に係るドレンソケットは、第２４または第２５の発明に係るドレンソケットであって、圧力逃がし部の開口端部は、ネットで覆われている、
これにより、圧力逃がし部の開口端部から異物が入ることをさらに確実に防止することが可能となる。
【００７５】
第２７の発明に係るドレンソケットは、第２２または第２３の発明に係るドレンソケットであって、管路部は、管路部の一部を屈曲させてドレンを溜めるためのトラップ部を有している。
【００７６】
ここで、第１室内機側が第２室内機側に比べて正圧側となると、空気等が配管を逆流し、第２室内機において空気の漏れ音等が発生する。そこで、本発明のドレンソケットでは、管路部にドレンを溜めるトラップ部を設けて、空気の逆流を遮断している。これにより、第１室内機側と第２室内機側とを配管で連通させることによって発生する第２室内機側における空気の漏れ音等を防止することが可能となる。
【００７７】
第２８の発明に係るドレンソケットは、第２７の発明に係るドレンソケットであって、管路部は、トラップ部に隣接する位置に抗菌剤を格納する格納部を有しており、格納部は、トラップ部に溜められるドレンと抗菌剤とが接触するように形成されている。
【００７８】
これにより、トラップ部において溜められるドレンに菌が発生することを防止することが可能となる。
【００７９】
第２９の発明に係るドレンソケットは、第２２または第２３の発明に係るドレンソケットであって、管路部は、流体が他の空気調和装置の室内機側に逆流することを防止するための逆止弁を有している。
【００８０】
ここで、第１室内機側が第２室内機側に比べて正圧側となると、空気等が配管を逆流し、第２室内機において空気の漏れ音等が発生する。そこで、本発明のドレンソケットでは、流体が逆流することを防止する逆止弁を管路部に設けて、空気が逆流することを防止している。これにより、第１室内機側と第２室内機側とを配管で連通させることによって発生する第２室内機側における空気の漏れ音等を防止することが可能となる。
【００８１】
第３０の発明に係るドレンソケットは、第２２から第２９の発明のいずれか１つに係るドレンソケットであって、管路部は、管路部の長手方向に伸縮および屈曲の少なくとも一方が可能なフレキシブル部を有している。
【００８２】
これにより、施工時に第２室内機から伸びるドレンを排出する配管と容易に接続することが可能となる。
【発明の効果】
【００８３】
第１の発明に係るドレン排水方法によれば、ドレンを確実に排水処理空間へ排出させることが可能となる。
【００８４】
第２の発明に係る空気調和装置の室内機によれば、空気調和装置の室内機で生成されたドレンを確実に外部へ排出させることが可能となる。
【００８５】
第３の発明に係る空気調和装置の室内機によれば、ドレンソケットを介して、他の室内機からドレンが排出されてくる配管に接続することが可能となる。
【００８６】
第４の発明に係る空気調和装置の室内機によれば、ドレンアップによってより遠くの排出空間にドレンを排出することが可能となる。
【００８７】
第５の発明に係る空気調和装置の室内機によれば、加湿器を備えた空気調和装置の室内機であっても、別途加湿器用の受入部を設けることなく、加湿器において発生するドレンを処理することが可能となる。
【００８８】
第６の発明に係る空気調和システムによれば、空気調和装置の室内機で生成されたドレンを確実に外部へ排出させることが可能となる。
【００８９】
第７の発明に係る空気調和システムによれば、第１ドレンパンに貯留されるドレンが溢れ出る前に、例えば、第２室内機の運転を制御したり、第１室内機における第１ドレンポンプを運転させたりする等の対応を図ることが可能となる。
【００９０】
第８の発明に係る空気調和システムによれば、第２室内機の運転状況（例えば、運転の有無、冷房・暖房等の運転種類、運転の強弱）、あるいは、検知部の検知結果に基づいて、第１ドレンポンプの運転状況（運転の有無、運転の強弱等）を制御することが可能となる。
【００９１】
第９の発明に係る空気調和システムによれば、第１ドレンパンからドレンが溢れる前に、ドレンを排出することが可能となる。
【００９２】
第１０の発明に係る空気調和システムによれば、第１ドレンパンから第２室内機より排出されてきたドレンが溢れ出ることを確実に防止することが可能となる。
【００９３】
第１１の発明に係る空気調和システムによれば、状況に応じて、第１ドレンポンプに対する上記制御内容を設定することが可能となる。
【００９４】
第１２の発明に係る空気調和システムによれば、第１ドレンパンに貯留されるドレンが溢れ出る前に、例えば、第２室内機の運転を停止したりする等の対応を図ることが可能となる。
【００９５】
第１３の発明に係る空気調和システムによれば、第１ドレンパンから第２室内機から排出されてくるドレンが溢れ出ることを確実に防止することが可能となる。
【００９６】
第１４の発明に係る空気調和システムによれば、状況に応じて、第２室内機あるいは第２ドレンポンプに対する上記制御内容を設定することが可能となる。
【００９７】
第１５の発明に係る空気調和システムによれば、第１ドレンパンから第２室内機より排出されてくるドレンが溢れ出ることを確実に防止することが可能となる。
【００９８】
第１６の発明に係る空気調和システムによれば、第１室内機と第２室内機とを連動させる制御を容易に実現することが可能となる。
【００９９】
第１７の発明に係る空気調和システムによれば、第１室内機側と第２室内機側とを第１配管によって連通させることによって発生する第２室内機側における空気の漏れ音等を防止することが可能となる。
【０１００】
第１８の発明に係る空気調和システムによれば、圧力逃がし部の開口端部から異物が入ることを防止することが可能となる。
【０１０１】
第１９の発明に係る空気調和システムによれば、圧力逃がし部の開口端部から異物が入ることをさらに確実に防止することが可能となる。
【０１０２】
第２０の発明に係る空気調和システムによれば、第１室内機側と第２室内機側とを第１配管によって連通させることによって発生する第２室内機側における空気の漏れ音等を防止することが可能となる。
【０１０３】
第２１の発明に係る空気調和システムによれば、第１室内機側と第２室内機側とを第１配管によって連通させることによって発生する第２室内機側における空気の漏れ音等を防止することが可能となる。
【０１０４】
第２２の発明に係るドレンソケットによれば、空気調和装置の室内機で生成されたドレンを確実に外部へ排出させることが可能となる。
【０１０５】
第２３の発明に係るドレンソケットによれば、管路部から排出されるドレンは、誘導部を伝ってドレンパンに流れ込むようになるので、落下により発生する音を防止することが可能となる。
【０１０６】
第２４の発明に係るドレンソケットによれば、第１室内機側と第２室内機側とを配管で連通させることによって発生する第２室内機側における空気の漏れ音等を防止することが可能となる。
【０１０７】
第２５の発明に係るドレンソケットによれば、圧力逃がし部の開口端部から異物が入ることを防止することが可能となる。
【０１０８】
第２６の発明に係るドレンソケットによれば、圧力逃がし部の開口端部から異物が入ることをさらに確実に防止することが可能となる。
【０１０９】
第２７の発明に係るドレンソケットによれば、第１室内機側と第２室内機側とを配管で連通させることによって発生する第２室内機側における空気の漏れ音等を防止することが可能となる。
【０１１０】
第２８の発明に係るドレンソケットによれば、トラップ部において溜められるドレンに菌が発生することを防止することが可能となる。
【０１１１】
第２９の発明に係るドレンソケットによれば、第１室内機側と第２室内機側とを配管で連通させることによって発生する第２室内機側における空気の漏れ音等を防止することが可能となる。
【０１１２】
第３０の発明に係るドレンソケットによれば、施工時に第２室内機から伸びるドレンを排出する配管と容易に接続することが可能となる。
【発明を実施するための最良の形態】
【０１１３】
本発明の一実施形態に係る空気調和システム１について、図１〜図９を用いて説明すれば以下の通りである。
【０１１４】
［空気調和システム１の構成］
＜全体＞
図１は、本発明の一実施形態にかかる空気調和システム１の概略構成図である。
【０１１５】
本実施形態において、空気調和システム１は、室内の冷暖房に使用される空気調和システムであり、主として、室外機２と、第１室内機４と、第２室内機９と、第１冷媒連絡管６と、第２冷媒連絡管７とを備えた、いわゆるセパレート型の空気調和システムである。すなわち、本実施形態において、室外機２および第１室内機４と、第２室内機とは、設置場所に出荷されて設置された後に、現地において施工される冷媒連絡管６、７によって接続されることによって構成されるものである。そして、本実施形態の空気調和システム１の冷媒回路１０は、室外機２と、第１室内機４および第２室内機９とが冷媒連絡管６、７を介して接続されることによって構成されている。
【０１１６】
また、空気調和システム１は、第１室内機４および第２室内機９の制御を行うコントローラ８０を備えている。コントローラ８０は、第１制御部８１と第２制御部８２とを有している。第１制御部８１および第２制御部８２の制御内容については、後段にて詳述する。
【０１１７】
第１室内機４および第２室内機９は、それぞれ、第１リモコン８３，第２リモコン８４が接続されている。そして、第１・第２リモコン８３，８４は、第１室内機４および第２室内機９における制御を設定することができる。
【０１１８】
＜室外機２＞
次に、室外機２の構成について、図１を用いて説明する。
【０１１９】
室外機２は、第１冷媒連絡管６及び第２冷媒連絡管７を介して第１室内機４に接続されており、冷媒回路１０の一部としての室外側冷媒回路１０ａを構成している。
【０１２０】
室外機２は、室外側冷媒回路１０ａを構成する室外側冷媒回路構成部品（後述）と、室外ファン３６と、室外機２を構成する各部の動作の制御等を行うための電装品ユニット（図示せず）とを有している。
【０１２１】
室外側冷媒回路１０ａを構成する室外側冷媒回路構成部品としては、主として、アキュムレータ２１と、圧縮機２２と、四路切換弁２３と、室外熱交換器２４と、膨張弁２５ａ，２５ｂと、第１閉鎖弁２６と、第２閉鎖弁２７とがある。
【０１２２】
アキュムレータ２１は、圧縮機２２の吸入口と四路切換弁２３との間に接続された冷媒回路１０内を循環する低圧冷媒を一時的に溜めるための容器である。アキュムレータ２１の出口は、第１吸入管２８によって圧縮機２２の吸入口に接続されており、アキュムレータ２１の入口は、第２吸入管２９によって四路切換弁２３に接続されている。
【０１２３】
圧縮機２２は、低圧の冷媒を吸入し圧縮して高圧の冷媒とした後に吐出する機能を有する圧縮機である。圧縮機２２の吐出口は、吐出管３０によって四路切換弁２３に接続されている。
【０１２４】
四路切換弁２３は、冷房と暖房との切換時に、冷媒の流れの方向を切り換えるための弁であり、冷房時には圧縮機２２の吐出口と室外熱交換器２４とを接続するとともにアキュムレータ２１と第２閉鎖弁２７とを接続し、暖房時には圧縮機２２の吐出口と第２閉鎖弁２７とを接続するとともにアキュムレータ２１と室外熱交換器２４とを接続することが可能である。四路切換弁２３は、第１冷媒配管３１によって室外熱交換器２４に接続されており、また、第３冷媒配管３４によって第２閉鎖弁２７に接続されている。
【０１２５】
室外熱交換器２４は、冷房時には室外空気を熱源とする冷媒の冷却器として機能し、暖房時には室外空気を熱源とする冷媒の加熱器として機能する熱交換器である。室外熱交換器２４の一端は、第１冷媒配管３１に接続されており、室外熱交換器２４の他端は、第２冷媒配管３２に接続されている。
【０１２６】
膨張弁２５ａ，２５ｂは、冷房時には室外熱交換器２４において冷却された高圧の冷媒を熱交換器（熱交換部）５１に送る前に減圧し、暖房時には熱交換器５１，９１において冷却された高圧の冷媒を室外熱交換器２４に送る前に減圧することが可能な電動膨張弁である。膨張弁２５ａ，２５ｂは、第１室内機４，第２室内機９と第１閉鎖弁２６との間に配置されている。
【０１２７】
第１閉鎖弁２６は、第２冷媒配管３２と第１冷媒連絡管６との接続部分に設けられる弁である。また、第２閉鎖弁２７は、第３冷媒配管３４と第２冷媒連絡管７との接続部分に設けられる弁である。第２閉鎖弁２７は、第３冷媒配管３４によって四路切換弁２３に接続されている。
【０１２８】
室外ファン３６は、室外熱交換器２４側に空気を取り込む。室外ファン３６は、室外ファンモータ３６ａによって駆動されるプロペラファンであり、室外熱交換器２４の前側に配置されている。
【０１２９】
電装品ユニットは、主として、圧縮機モータ２２ａや室外ファンモータ３６ａ等の回転数を制御する。
【０１３０】
＜第１室内機４，第２室内機９＞
次に、第１室内機４、第２室内機９の構成について説明する。
【０１３１】
第１室内機４と第２室内機９とは、図１に示すように、第１冷媒連絡管６および第２冷媒連絡管７を介して室外機２に接続されており、同一の冷媒回路１０の一部として室内側冷媒回路１０ｂを構成している。さらに、第１室内機４と第２室内機９とは、図５に示すように、第１配管７１を介して、第２室内機９において発生するドレンを第１室内機４に導くように構成されている。
【０１３２】
第１室内機４は、天井７０に開口する設置用開口部に埋め込んで据え付けられる天井埋込型の第１室内機４として構成されている。第１室内機４は、図２〜図５に示すように、ケーシング４０内に、主に、ファン４５と、熱交換器５１と、ドレンパン５２と、ドレンポンプ５３と、フロートスイッチ（検知部）５４とが収納され、ケーシング４０には、排出側ドレンソケット（排出部）５５と、受入側ドレンソケット５６とが取り付けられている。
【０１３３】
ケーシング４０は、図２に示すように、下方に向かって開口する箱形の本体ケーシング４１と、本体ケーシング４１の底面開口部を覆う化粧パネル４２とを有している。本体ケーシング４１は、天板４１ａと、天板４１ａの外縁部から下方へ延びる側板４１ｂとを有している。化粧パネル４２は、図３に示すように、略正方形状の板部材により構成されている。そして、化粧パネル４２は、本体ケーシング４１の側板４１ｂの下端部に取付けられ、その周縁部が天井７０の下面に当接するように、天井７０に沿って取り付けられている。化粧パネル４２の略中央部には、図３に示すように、吸込口４３が開口している。吸込口４３には、室内空気に含まれる塵埃等の浮遊物を除去するためのエアフィルタ４４（図２参照）が設けられている。また、化粧パネル４２には、図３に示すように、４つの吹出口４２ａが形成されている。吹出口４２ａは、吸込口４３の外側で、化粧パネル４２の４つの辺に沿って延びるように、細長い長方形状に形成されている。吹出口４２ａには、吹出口４２ａに沿って延びる略長方形板状のフラップ４７が設けられている。
【０１３４】
ファン４５は、図２に示すように、ケーシング４０の内部の略中央位置に配設され、ファンモータ４６を介してケーシング４０に取り付けられている。そして、ファン４５は、ファンモータ４６の駆動力により回転駆動し、吸込口４３から吸い込んだ空気を、ファン４５の径方向外側へ送り出すようになっている。
【０１３５】
熱交換器５１は、図２，図３に示すように、ファン４５の周りを囲うように配設されている。熱交換器５１は、冷媒連絡管６、７を介して室外機２に接続されている。そして、熱交換器５１は、冷房運転時には蒸発器として、また、暖房運転時には凝縮器として作動し、ファン４５から送り出される空気を冷却、または、加熱することで空調空気を生成するように構成されている。
【０１３６】
ドレンパン５２は、図２に示すように、熱交換器５１の下方に設けられており、熱交換器５１において発生するドレンを受け止めて貯留する。
【０１３７】
ドレンポンプ５３は、図３，図４に示すように、ドレンパン５２に貯留されたドレンをポンプアップして排水するためのポンプであって、ドレンパン５２の上方に設けられている。
【０１３８】
フロートスイッチ５４は、ドレンを検知するセンサであって、図３，図４に示すように、ドレンパン５２の底部５２ａより鉛直上方に所定距離離れた位置に配置されている。これにより、所定の量のドレンがドレンパン５２に貯められると、ドレンがフロートスイッチ５４を動作させる構成となっている。
【０１３９】
排出側ドレンソケット５５は、ドレンを排水処理空間に導くための第２配管７２に接続するためのソケットであって、図３，図４に示すように、側板４１ｂの上方に配置されている。これにより、ドレンパン５２に貯留されたドレンは、ドレンポンプ５３によってドレンアップされ、排出側ドレンソケット５５、第２配管７２を介して、排水処理空間に向けて排出される。
【０１４０】
受入側ドレンソケット５６は、第２室内機９において発生するドレンを排出する第１配管７１に接続するためのソケットであって、図３，図４に示すように、ケーシング４０における側板４１ｂの下方に配置されている。そして、受入側ドレンソケット５６は、図６（ａ）、図６（ｂ）に示すように、管路部５７と、取付部５８とを有している。管路部５７は、第２室内機９で発生するドレンを排出する第１配管７１と接続可能に形成されている。取付部５８は、ケーシング４０における側板４１ｂに取り付けるための部位であって、取付ネジ用のネジ孔５８ａを有している。そして、取付部５８は、図６（ａ）、図６（ｂ）に示すように、ネジ５９によって側板４１ｂに取り付けられる。これにより、第２室内機９において発生するドレンは、第１配管７１、管路部５７を介してドレンパン５２に導かれる。また、受入側ドレンソケット５６は、排出側ドレンソケット５５に比べて、鉛直方向下方に配置されている。
【０１４１】
第２室内機９は、受入側ドレンソケット５６を有していない点を除いて、上述した第１室内機４と同様に構成されている。よって、ここでは、第２室内機９の説明は省略する。以下、第１室内機４における熱交換器を第１熱交換器５１、第２室内機９における熱交換器を第２熱交換器９１、第１室内機４におけるドレンパンを第１ドレンパン５２、第２室内機９におけるドレンパンを第２ドレンパン９２、第１室内機４におけるドレンポンプを第１ドレンポンプ５３、第２室内機９におけるドレンポンプを第２ドレンポンプ９３、第１室内機４におけるフロートスイッチを第１フロートスイッチ５４、第２室内機９におけるフロートスイッチを第２フロートスイッチ９４、第１室内機４における排出側ドレンソケットを第１排出側ドレンソケット５５、第２室内機９における排出側ドレンソケットを第２排出側ドレンソケット９５と示す。
【０１４２】
ここで、第１室内機４に受入側ドレンソケット５６を取り付ける方法について説明する。
【０１４３】
設置場所に出荷されてくる第１室内機４は、受入側ドレンソケット５６を取り付け可能に形成されている受入部６０を備えている。受入部６０は、図７（ａ）、図７（ｂ）に示すように、開口部６１と、蓋部６２と、取付部６３とを有している。開口部６１は、受入側ドレンソケット５６における管路部５７をケーシング４０内部に導く孔であって、側板４１ｂの一部に形成されている。蓋部６２は、開口部６１に嵌合可能な形状を有している。取付部６３は、蓋部６２と一体に成形または固定されており、取付ネジ用のネジ孔６３ａを有している。そして、蓋部６２と取付部６３とは、図７（ａ）、図７（ｂ）に示すように、蓋部６２が、開口部６１に嵌合された状態で、ネジ６４によって側板４１ｂに取り付けられている。
【０１４４】
第１室内機４は、上記に示すような受入部６０を有していることにより、設置場所において、受入側ドレンソケット５６を容易に取り付けることが可能となる。すなわち、現地において本実施形態の空気調和システム１を施工する者は、まず、受入部６０においてネジ６４で固定されている蓋部６２および取付部６３を取り外す。そして、図６（ａ）に示すように、管路部５７と取付部５８とを有する受入側ドレンソケット５６を取り付ける。
【０１４５】
＜第１室内機および第２室内機における運転制御＞
本実施形態の空気調和システム１においては、第２室内機９で発生するドレンを第１室内機４に導いて、第１室内機４の第１ドレンポンプ５３によって排水処理空間に排出している。このため、第１室内機４が停止していると第１ドレンポンプ５３が動作せず、第１ドレンパン５２にドレンが貯留されていく。そして、第１ドレンパン５２からドレンが溢れ出すという問題が発生する。
【０１４６】
そこで、本実施形態の空気調和システム１においては、コントローラ８０に第１ドレンポンプ５３を制御する第１制御部８１を設け、第１フロートスイッチ５４を常時検知できる状態にしている。すなわち、第１制御部８１は、図８に示すように、第１室内機４の第１フロートスイッチ５４が作動すると、第１ドレンポンプ５３を運転させるように制御する。これにより、第１ドレンパン５２からドレンが溢れる前に、第１ドレンポンプ５３を運転させドレンを排出させることが可能となる。また、第１制御部８１が、上記条件によって第１ドレンポンプ５３を運転させるかさせないかは、第１リモコン８３によって設定することができる。これにより、任意に上記設定をすることが可能となる。
【０１４７】
さらに、本実施形態の空気調和システム１においては、コントローラ８０に第２制御部８２を設けている。第２制御部８２は、図９に示すように、第１室内機４におけるフロートスイッチ５４が作動したまま所定時間を経過したことを検知すると、第２室内機９の第２ドレンポンプ９３の運転を停止させるように制御する。すなわち、第２制御部８２は、フロートスイッチ５４の作動状態に基づいて第１ドレンポンプ５３が機能していないことを判断し、第２室内機９の第２ドレンポンプ９３の運転を停止させるように制御している。これにより、第２室内機９から排出されてくるドレンを止めることができるので、第１ドレンパン５２からドレンが溢れることを防止することが可能となる。また、第２制御部８２が、上記条件によって第２ドレンポンプ９３を運転させるかさせないかは、第１リモコン８３によって設定することができる。これにより、任意に上記設定をすることが可能となる。
【０１４８】
［空気調和システム１の特徴］
（１）
本実施形態の空気調和システム１は、第２室内機９において発生するドレンを第１室内機４に導き、第１室内機４において発生するドレンと一緒に排水処理空間に排出している。
【０１４９】
従来より、室内ユニットから配管を用いてドレンを排出する場合、例えば、１／１００以上の下り勾配を設ける必要がある。そして、コンクリート梁等がある場合、コンクリート梁を避けるための配管をする必要があり、上記勾配等の規制により遠くの位置にまで良好に配管を施工することは難しい。
【０１５０】
これらの課題に対して、本実施形態の空気調和システム１では、第２室内機９において発生するドレンを排出する第１配管７１の距離を、第２室内機９から排水処理空間に直接導くよりも短くすることを可能としている。具体的には、図５に示すように、第２室内機９から第１室内機４にまで第１配管７１を導けばよいので、直接排水処理空間に導くよりも、ドレン配管の長さを短くすることができる。また、第１室内機４の第１ドレンポンプ５３で一度ドレンアップすることができるので、より遠くの排水処理空間にまでドレン配管を伸ばすことが可能となる。
【０１５１】
これにより、所定の排水勾配を確保するための施工に対する自由度を高めることが可能となる。そして、例えば、図１９に示すように、第１配管７１の経路上に存在するコンクリート梁Ｂを回避しても、所定の排水勾配を確保することが可能となる。この結果、空気調和システム１の第２室内機９で生成されたドレンを確実に排水処理空間へ排出させることが可能となる。
【０１５２】
（２）
本実施形態の空気調和システム１における第１室内機４は、他の室内ユニット（本実施形態においては第２室内機９）において発生したドレンをケーシング４０内部に導き入れるための受入部６０が、ケーシング４０における側板４１ｂに設けられている。これにより、第２室内機９において発生したドレンを第１室内機４に導き入れることを可能としている。
【０１５３】
（３）
本実施形態の空気調和システム１では、第２室内機９の第２ドレンパン９２から第２ドレンポンプ９３によってドレンを吸い上げて、第１配管７１を介して第１室内機４の第１ドレンパン５２に導いている。そして、第１室内機４に導かれたドレンおよび第１熱交換器５１で発生するドレンが貯留される第１ドレンパン５２から第１ドレンポンプ５３によってドレンを吸い上げて、第２配管７２を介して排水処理空間にドレンを導いている。
【０１５４】
これにより、第１配管７１の距離を短くして所定の排水勾配を確保するための施工に対する自由度を高めることが可能となる。この結果、空気調和システム１の第２室内機９で生成されたドレンを確実に排水処理空間へ排出させることが可能となる。
【０１５５】
［他の実施形態］
以上、本発明の一実施形態について説明したが、本発明は上記実施形態に限定されるものではなく、発明の要旨を逸脱しない範囲で種々の変更が可能である。
【０１５６】
（Ａ）
上記実施形態の空気調和システム１では、受入側ドレンソケット５６が、図６（ａ）、図６（ｂ）に示すように、管路部５７と取付部５８とから形成されている例を挙げて説明した。しかし、本発明はこれに限定されるものではない。
【０１５７】
例えば、図１０に示すように、受入側ドレンソケット２００は、管路部２０１と、取付部２０２と、誘導部２０３と、圧力逃がし部２０４と、ネット２０５と、フレキシブル部２０６とを備えていてもよい。管路部２０１は、第２室内機９で発生するドレンを排出する第１配管７１と接続可能に形成されている。取付部２０２は、ケーシング４０における側板４１ｂに取り付けるための部位であって、図示しないネジによって側板４１ｂに取り付けられる。誘導部２０３は、ゴム板であって、管路部２０１の最下流側先端部に取り付けられ、第１ドレンパン５２の底部５２ａと接触している。これにより、管路部２０１から排出されるドレンは、誘導部２０３を伝って第１ドレンパン５２に流れ込むようになるので、落下により発生する音を防止することが可能となる。圧力逃がし部２０４は、第１室内機４と第２室内機９とを連結する第１配管７１内の圧力を下げるために設けられている第１配管７１の開口部分である。これにより、第１室内機４側と第２室内機９側とを第１配管７１で連通させることによって発生する第２室内機９側における空気の漏れ音等を防止している。そして、圧力逃がし部２０４の開口端部２０４ａは、鉛直方向下側を向いている。これにより、開口端部２０４ａから異物が入ることを防止している。また、開口端部２０４ａは、ネット２０５で覆われている。これにより、開口端部２０４ａから異物が入ることをさらに確実に防止することが可能としている。フレキシブル部２０６は、管路部２０１の長手方向に伸縮あるいは屈曲可能な部位であって、圧力逃がし部２０４よりもドレン排水方向において上流側に配置されている。これにより、施工時に、ドレンソケット２００の上流端の位置を鉛直方向あるいは水平方向に自由に移動させることができるので、第１配管７１と容易に接続することが可能となる。なお、フレキシブル部２０６は、管路部２０１の長手方向に伸縮および屈曲が可能であってもよい。
【０１５８】
以上に示した構造の受入側ドレンソケット２００を接続することにより、第２室内機９において発生するドレンは、第１配管７１、フレキシブル部２０６、管路部２０１を介して第１ドレンパン５２に導かれるようになる。
【０１５９】
また、図１１に示すように、受入側ドレンソケット２１０は、管路部２１１と、取付部２１２と、誘導部２０３と、トラップ部２１４と、抗菌剤格納部（格納部）２１５とを備えていてもよい。管路部２１１は、第２室内機９で発生するドレンを排出する第１配管７１と接続可能に形成されている。取付部２１２は、ケーシング４０における側板４１ｂに取り付けるための部位であって、図示しないネジによって側板４１ｂに取り付けられる。誘導部２１３は、鎖であって、管路部２１１の最下流側先端部に取り付けられ、第１ドレンパン５２の底部５２ａと接触している。これにより、管路部２１１から排出されるドレンは、誘導部２１３を伝って第１ドレンパン５２に流れ込むようになるので、落下により発生する音を防止することが可能となる。トラップ部２１４は、管路部２１１の一部を屈曲させてドレンを溜めることができるように形成されている。これにより、トラップ部２１４部に溜められるドレンによって空気の逆流を遮断している。この結果、第１室内機４側と第２室内機９側とを第１配管７１で連通させることによって発生する第２室内機９側における空気の漏れ音等を防止することが可能となる。抗菌剤格納箱（格納部）２１５は、抗菌剤２１６を格納するための箱部であって、管路部２１１またはトラップ部２１４と面する部位がスリット状に形成されている。これにより、トラップ部２１４に溜められるドレンと抗菌剤２１６とが接触することが可能となり、トラップ部２１４内のドレンを清潔に保つことを可能としている。
【０１６０】
以上に示した構造の受入側ドレンソケット２１０を接続することにより、第２室内機９において発生するドレンは、第１配管７１、トラップ部２１４、管路部２１１を介して第１ドレンパン５２に導かれるようになる。
【０１６１】
また、図１２に示すように、受入側ドレンソケット２２０は、管路部２２１と、取付部２２２と、誘導部２２３と、逆止弁２２４とを備えていてもよい。管路部２２１は、第２室内機９で発生するドレンを排出する第１配管７１と接続可能に形成されている。取付部２２２は、ケーシング４０における側板４１ｂに取り付けるための部位であって、側板４１ｂに管路部２１１の直径と同サイズの図示しないネジによって側板４１ｂに取り付けられる。誘導部２２３は、ひもであって、管路部２２１の最下流側先端部に取り付けられ、第１ドレンパン５２の底部５２ａと接触している。これにより、管路部２２１から排出されるドレンは、誘導部２２３を伝って第１ドレンパン５２に流れ込むようになるので、落下により発生する音を防止することが可能となる。逆止弁２２４は、管路部２２１の一部に配置されており、ドレンの排出方向における下流側から上流側に、空気、ドレン等の流体が逆流することを防止している。これにより、第１室内機４側と第２室内機９側とを第１配管７１で連通させることによって発生する第２室内機９側における空気の漏れ音等を防止することが可能となる。
【０１６２】
以上に示した構造の受入側ドレンソケット２２０を接続することにより、第２室内機９において発生するドレンは、第１配管７１、逆止弁２２４、管路部２２１を介して第１ドレンパン５２に導かれるようになる。
【０１６３】
（Ｂ）
上記実施形態の空気調和システム１では、第１制御部８１は、第１室内機４のフロートスイッチ５４が作動すると、第１ドレンポンプ５３を運転させるように制御する例を挙げて説明した。しかし、本発明はこれに限定されるものではない。
【０１６４】
例えば、第１制御部８１は、第２室内機９の冷房運転に合わせて、第１ドレンポンプ５３を運転するように制御してもよい。また、第１制御部８１が、第２室内機９の冷房運転に合わせて、第１ドレンポンプ５３を運転させるかさせないかは、第１リモコン８３によって設定することができる。この場合も、上記の実施形態に係る空気調和システム１と同様の効果を得ることができる。
【０１６５】
（Ｃ）
上記実施形態の空気調和システム１では、第２制御部８２は、第１室内機４のフロートスイッチ５４が作動したまま所定時間を経過したことを検知すると、第２室内機９の第２ドレンポンプ９３の運転を停止させるように制御する例を挙げて説明した。しかし、本発明はこれに限定されるものではない。
【０１６６】
例えば、第２制御部８２は、第１室内機４のフロートスイッチ５４が作動したまま所定時間を経過したことを検知すると、第２室内機９の冷房運転を停止させるように制御してもよい。この場合であっても、上記の実施形態に係る空気調和システム１と同様の効果を得ることができる。
【０１６７】
（Ｄ）
上記実施形態の空気調和システム１では、第１室内機４あるいは第２室内機９を制御して、第１ドレンパン５２からドレンが溢れ出ることを防止する例を挙げて説明した。しかし、本発明はこれに限定されるものではない。
【０１６８】
例えば、図１３に示すように、第１室内機４と第２室内機９とを連通する第１配管７１に、第１配管７１における流量を調整可能な電磁弁７３を設けて、第１室内機４のフロートスイッチ５４が作動したまま所定時間を経過したことを検知すると、第１制御部８１は、電磁弁７３を弁閉させるように制御してもよい。この場合であっても、第１ドレンパン５２からドレンが溢れ出ることを防止することができる。
【０１６９】
（Ｅ）
上記実施形態の空気調和システム１では、第１室内機４と第２室内機９とを制御上つなげて、第１ドレンパン５２からドレンが溢れ出ることを防止する例を挙げて説明した。しかし、本発明はこれに限定されるものではない。
【０１７０】
例えば、図１３に示すように、第１室内機４と第２室内機９とを連通する第１配管７１に、第１配管７１における流量を調整可能な電磁弁７３を設ける。そして、第１室内機４と電磁弁７３とを連動させることにより、第１室内機４と第２室内機９とを制御上つなげずに、第１ドレンパン５２からドレンが溢れ出ることを防止することが可能となる。すなわち、それぞれの室内機４，９における個々の制御によって、第１室内機４におけるドレンの漏れを防止することが可能となる。
【０１７１】
具体的には、第１室内機４のフロートスイッチ５４が異常を検知すると、第１室内機４の運転を強制的に停止させる。ここで、第１配管７１上に配置された電磁弁７３を弁閉する。これにより、第１配管７１内をドレンが流れず、第２室内機９の第２ドレンパン９２の水位が上昇するようになる。そして、第２室内機９に設けられたフロートスイッチ（図示せず）が異常を検知すると、第２室内機９の運転を強制的に停止させる。この場合であっても、上記の実施形態に係る空気調和システム１と同様の効果を得ることができる。
【０１７２】
（Ｆ）
上記実施形態の空気調和システム１では、設置場所に出荷されてくる第１室内機４が、図７（ａ）、図７（ｂ）に示すような受入部６０を備えている例を挙げて説明した。しかし、本発明はこれに限定されるものではない。
【０１７３】
例えば、図１４（ａ）、図１４（ｂ）に示すように、受入部１６０は、ケーシング４０の側板４１ｂに形成されたスリット穴部１６２と、取付ネジ用のネジ孔１６３ａを有していてもよい。この場合、現地において本実施形態の空気調和システム１を施工する者は、まず、スリット穴部１６２をカットし、側板４１ｂに開口部を設ける。そして、図６（ａ）に示すように、管路部５７と取付部５８とを有する受入側ドレンソケット５６を取り付ける。この場合も、上記の実施形態に係る空気調和システム１と同様の効果を得ることができる。
【０１７４】
（Ｇ）
本発明の空気調和システム１では、図１５、図１６に示すように、第１室内機４が、自然蒸発式加湿器（加湿器）１００を別途備えていてもよい。
【０１７５】
以下、自然蒸発式加湿器１００について説明する。なお、ここでは、第１室内機４と共通する部位の説明は省略する。
【０１７６】
自然蒸発式加湿器１００は、図１５、図１６に示すように、加湿エレメント１０１と、給水パン１０２と、ドレンパン１０３と、ドレン配管１０４とを有している。加湿エレメント１０１は、ファンモータ４６側から吹き出されてくる空調空気を加湿する。給水パン１０２は、加湿エレメント１０１に水を供給する。ドレンパン１０３は、加湿エレメント１０１および給水パン１０２の下方に配置されており、加湿エレメント１０１において発生するドレンを集水する。ドレン配管１０４は、ドレンパン１０３に集水されたドレンを第１室内機４におけるケーシング内部に導く。
【０１７７】
ここで、受入側ドレンソケット５６は、第１配管７１およびドレン配管１０４の両方からのドレンをケーシング４０内部に導くことを可能としている。本実施形態の空気調和システム１においては、第１配管７１とドレン配管１０４とを合流させた後に、受入側ドレンソケット５６に接続している。これにより、自然蒸発式加湿器１００を備えた空気調和システムであっても、別途、自然蒸発式加湿器１００用の排水設備を設けることなく、ドレンを処理することが可能となる。
【０１７８】
さらに、自然蒸発式加湿器１００は、第１配管７１とドレン配管１０４とを合流させた後に、受入側ドレンソケット５６に接続する例を挙げて説明したが、これに限定されるものではない。
【０１７９】
例えば、図１７に示すように、自然蒸発式加湿器１００におけるケーシング１０５に、図６（ａ）、図６（ｂ）に示すようなドレンソケット５６を取り付けて、第１配管７１からのドレンをドレンパン１０３に導くようにしてもよい。
【０１８０】
（Ｈ）
上記実施形態の空気調和システム１では、第１配管７１を第１室内機４に接続するために受入側ドレンソケット５６を介して取り付ける例を挙げて説明した。しかし、本発明はこれに限定されるものではない。
【０１８１】
例えば、受入側ドレンソケット５６を介さなくても、第１配管７１を直接、第１室内機４におけるケーシング４０内部に導いてもよい。この場合も、上記の実施形態に係る空気調和システム１と同様の効果を得ることができる。
【０１８２】
（Ｉ）
上記実施形態の空気調和システム１では、第２室内機９が第２ドレンポンプ９３を有している例を挙げて説明した。しかし、本発明はこれに限定されるものではない。
【０１８３】
第２室内機９は、図１８に示すように、第２ドレンパン９２から第１配管７１を介して自然排水するように構成してもよい。この場合も、上記の実施形態に係る空気調和システム１と同様の効果を得ることができる。
【０１８４】
（Ｊ）
上記実施形態の空気調和システム１では、第１室内機４と第１配管を介して接続されている室内ユニットが、第２室内機９の１基である例を挙げて説明した。しかし、本発明はこれに限定されるものではない。
【０１８５】
例えば、ドレン配管の上流側に配置される室内ユニットは、２基以上であってもよい。また、ドレン配管の下流側に配置される室内ユニットも、２基以上であってもよい。また、第１室内機と第２室内機とは、同一冷媒内に配置されていなくてもよい。
【図面の簡単な説明】
【０１８６】
【図１】本発明の一実施形態に係る空気調和システムの概略構成図。
【図２】図１の空気調和システムに含まれる第１室内機および第２室内機の断面図。
【図３】図１の空気調和システムに含まれる第１室内機および第２室内機の平面図。
【図４】図３の第１室内機のドレンポンプ周辺の拡大断面図。
【図５】図１の空気調和システムに含まれる第１室内機および第２室内機の配置方法を示した説明図。
【図６】（ａ），（ｂ）は、図３の第１室内機の受入側ドレンソケット周辺の拡大断面図、拡大斜視図。
【図７】（ａ），（ｂ）は、図３の第１室内機の受入部周辺の拡大断面図、拡大斜視図。
【図８】本発明の一実施形態に係る空気調和システムの機能ブロック図。
【図９】本発明の一実施形態に係る空気調和システムの機能ブロック図。
【図１０】本発明の他の実施形態に係る空気調和システムに含まれる受入側ドレンソケットの断面図。
【図１１】本発明の他の実施形態に係る空気調和システムに含まれる受入側ドレンソケットの断面図。
【図１２】本発明の他の実施形態に係る空気調和システムに含まれる受入側ドレンソケットの断面図。
【図１３】本発明の他の実施形態に係る空気調和システムを示した説明図。
【図１４】（ａ），（ｂ）は、本発明の他の実施形態に係る空気調和システムに含まれる第１室内機の受入部周辺の拡大断面図、拡大斜視図。
【図１５】本発明の他の実施形態に係る空気調和システムに含まれる第１室内機の平面図。
【図１６】本発明の他の実施形態に係る空気調和システムに含まれる第１室内機の断面図。
【図１７】本発明の他の実施形態に係る空気調和システムに含まれる第１室内機の断面図。
【図１８】本発明の他の実施形態に係る空気調和システムを説明する説明図。
【図１９】本発明の実施形態に係る空気調和システムを説明する説明図。
【符号の説明】
【０１８７】
１        空気調和システム
２        室外機
４        第１室内機
６        第１冷媒連絡管
７        第２冷媒連絡管
９        第２室内機
１０      冷媒回路
１０ａ    室外側冷媒回路
１０ｂ    室内側冷媒回路
４０      ケーシング
４１      本体ケーシング
４１ａ    天板
４１ｂ    側板
４２      化粧パネル
４２ａ    吹出口
４３      吸込口
４４      エアフィルタ
４５      ファン
４６      ファンモータ
４７      フラップ
５１      第１熱交換器（第１熱交換部）
５２      第１ドレンパン
５２ａ    底部
５３      第１ドレンポンプ
５４      第１フロートスイッチ（検知部）
５５      排出側ドレンソケット（排出部）
５６      受入側ドレンソケット
５７      管路部
５８      取付部
５８ａ    ネジ孔
５９      ネジ
６０      受入部
６１      開口部
６２      蓋部
６３      取付部
６３ａ    ネジ孔
６４      ネジ
７０      天井
７１      第１配管
７２      第２配管
７３      電磁弁
８０      コントローラ
８１      第１制御部
８２      第２制御部
８３      第１リモコン
８４      第２リモコン
９１      第２熱交換器（第２熱交換部）
９２      第２ドレンパン
９３      第２ドレンポンプ
９４      第２フロートスイッチ
９５      排出側ドレンソケット（排出部）
１００    自然蒸発式加湿器（加湿器）
１０１    加湿エレメント
１０２    給水パン
１０３    ドレンパン
１０４    ドレン配管
１０５    ケーシング
１６０    受入部
１６２    スリット穴部
１６３ａ  ネジ孔
２００，２１０，２２０    受入側ドレンソケット
２０１，２１１，２２１    管路部
２０２，２１２，２２２    取付部
２０３，２１３，２２３    誘導部
２０４    圧力逃がし部
２０４ａ  開口端部
２０５    ネット
２０６    フレキシブル部
２１４    トラップ部
２１５    抗菌剤格納箱（格納部）
２１６    抗菌剤
２２４    逆止弁
【図１】
2010032094.tif 000003
【図２】
2010032094.tif 000004
【図３】
2010032094.tif 000005
【図４】
2010032094.tif 000006
【図５】
2010032094.tif 000007
【図６】
2010032094.tif 000008
【図７】
2010032094.tif 000009
【図８】
2010032094.tif 000010
【図９】
2010032094.tif 000011
【図１０】
2010032094.tif 000012
【図１１】
2010032094.tif 000013
【図１２】
2010032094.tif 000014
【図１３】
2010032094.tif 000015
【図１４】
2010032094.tif 000016
【図１５】
2010032094.tif 000017
【図１６】
2010032094.tif 000018
【図１７】
2010032094.tif 000019
【図１８】
2010032094.tif 000020
【図１９】
2010032094.tif 000021